(57)【要約】【課題】意匠部の視認性を向上する。【解決手段】操作装置１０では、意匠プレートユニット４３が、ダイヤル本体４２に設けられると共に、ダイヤル本体４２に対して相対回転可能に且つ上下方向に一体移動可能に構成されている。また、意匠プレートユニット４３は、ケース２２の支持筒部２２Ｇに対して、支持筒部２２Ｇの周方向（ダイヤル本体４２の回転方向）に相対移動不能に且つ上下方向に相対移動可能に係合されている。このため、標示プレート４６とダイヤルキャップ４８との間の隙間Ｇ１を、ダイヤル本体４２の操作ストロークに関係なく、一定の隙間に設定することができる。したがって、標示プレート４６（意匠プレートユニット４３）に対する視認性を向上することができる。【選択図】図８
2020095844.tif 000002
【特許請求の範囲】
【請求項１】
支持軸部を有するケースと、
前記支持軸部に回転可能に且つ前記支持軸部の軸方向に移動可能に支持された筒状の操作部と、
前記操作部の先端部に設けられ、前記操作部に相対回転可能に且つ前記支持軸部の軸方向に一体移動可能に前記操作部に設けられると共に、前記支持軸部の周方向に相対移動不能に且つ前記支持軸部の軸方向に相対移動可能に前記支持軸部に係合された意匠部と、
を備えた操作装置。
【請求項２】
前記意匠部及び前記支持軸部の一方には、前記支持軸部の軸方向に延在された一対の係合軸が形成されており、
前記意匠部及び前記支持軸部の他方には、前記係合軸が相対移動可能に挿入され且つ前記支持軸部の周方向において前記係合軸と係合された一対の軸受部が形成されている請求項１に記載の操作装置。
【請求項３】
一対の前記係合軸の直径が、互いに異なる寸法に設定されている請求項２に記載の操作装置。
【請求項４】
前記操作部の先端部には、前記操作部の先端側へ開放された凹状の収容部が形成されると共に、前記収容部を閉塞する蓋部が設けられており、
前記意匠部が前記収容部の内部に収容されている請求項１〜請求項３の何れか１項に記載の操作装置。
【請求項５】
意匠部は、
前記支持軸部に係合されたサポート部材と、
前記サポート部材に支持される共に、標示エリアを有する標示部材と、
を含んで構成されている請求項１〜請求項４の何れか１項に記載の操作装置。
【請求項６】
前記支持軸部は、筒状に形成されており、
前記支持軸部の内部には、前記標示エリアを照射する光源が設けられている請求項５に記載の操作装置。
【発明の詳細な説明】
【技術分野】
【０００１】
本発明は、操作装置に関する。
【背景技術】
【０００２】
下記特許文献１に記載の複合スイッチ装置（操作装置）は、押圧操作可能に構成されたスイッチノブと、回転操作可能に構成されたダイヤルノブと、を有している。また、スイッチノブには、シンボルマーク等が表示された意匠プレート（意匠部）が視認可能に設けられている。これにより、ダイヤルノブが回転操作されるときには、スイッチノブ（すなわち、意匠プレート）が回転しないため、複合スイッチ装置の意匠性を損なうことなく、ダイヤルノブの回転操作を行うことができる。
【０００３】
ところで、操作装置では、ダイヤルノブとスイッチノブを一体にした操作ノブ（操作部）を有するものがある。すなわち、この操作装置では、操作ノブが回転操作可能に且つ押圧操作可能に構成されている。また、この操作装置では、操作装置の意匠性を確保するために、操作ノブの回転操作時に、意匠部を回転不能に構成する必要がある。すなわち、この場合には、例えば、操作ノブとは別部材（操作ノブを支持するための支持部材（ケース）等）に意匠部を設けると共に、操作ノブの先端部にレンズなどを設けて、意匠部をレンズから視認可能にする構造が考えられる。これにより、操作ノブの回転操作時には、意匠部が回転しないため、操作装置の意匠性を確保することができる。
【先行技術文献】
【特許文献】
【０００４】
【特許文献１】特許第４１０４２１２号
【発明の概要】
【発明が解決しようとする課題】
【０００５】
しかしながら、上記の操作装置では、操作ノブの押圧操作において操作ノブ（レンズ）が意匠部に対して相対移動するため、操作ノブの初期位置において、意匠部を操作ノブ（レンズ）に対して離間して配置させる必要がある。このため、例えば、操作ノブを斜めに見たときに、操作ノブの外周部によって意匠部が遮られて、意匠部の視認性が低下する可能性がある。
【０００６】
本発明は、上記事実を考慮して、意匠部の視認性を向上することができる操作装置を提供する。
【課題を解決するための手段】
【０００７】
本発明の１又はそれ以上の実施形態は、支持軸部を有するケースと、前記支持軸部に回転可能に且つ前記支持軸部の軸方向に移動可能に支持された筒状の操作部と、前記操作部の先端部に設けられ、前記操作部に相対回転可能に且つ前記支持軸部の軸方向に一体移動可能に前記操作部に設けられると共に、前記支持軸部の周方向に相対移動不能に且つ前記支持軸部の軸方向に相対移動可能に前記支持軸部に係合された意匠部と、を備えた操作装置である。
【０００８】
本発明の１又はそれ以上の実施形態は、前記意匠部及び前記支持軸部の一方には、前記支持軸部の軸方向に延在された一対の係合軸が形成されており、前記意匠部及び前記支持軸部の他方には、前記係合軸が相対移動可能に挿入され且つ前記支持軸部の周方向において前記係合軸と係合された一対の軸受部が形成されている操作装置である。
【０００９】
本発明の１又はそれ以上の実施形態は、一対の前記係合軸の直径が、互いに異なる寸法に設定されている操作装置である。
【００１０】
本発明の１又はそれ以上の実施形態は、前記操作部の先端部には、前記操作部の先端側へ開放された凹状の収容部が形成されると共に、前記収容部を閉塞する蓋部が設けられており、前記意匠部が前記収容部の内部に収容されている操作装置である。
【００１１】
本発明の１又はそれ以上の実施形態は、意匠部は、前記支持軸部に係合されたサポート部材と、前記サポート部材に支持される共に、標示エリアを有する標示部材と、を含んで構成されている操作装置である。
【００１２】
本発明の１又はそれ以上の実施形態は、前記支持軸部は、筒状に形成されており、前記支持軸部の内部には、前記標示エリアを照射する光源が設けられている操作装置である。
【発明の効果】
【００１３】
本発明の１又はそれ以上の実施形態によれば、意匠部の視認性を向上することができる。
【図面の簡単な説明】
【００１４】
【図１】本実施の形態に係る照明構造が適用された操作装置を示す平面図である。
【図２】図１に示される操作装置の縦断面図（図１の２−２線断面図）である。
【図３】図１に示される操作装置の縦断面図（図１の３−３線断面図）である。
【図４】図１に示される操作装置の分解斜視図である。
【図５】図４に示されるケースの平面図である。
【図６】（Ａ）は、図４に示される第１レンズのケースへの組付前の状態を示す斜視図であり、（Ｂ）は、図４に示される第２レンズのケースへの組付前の状態を示す斜視図である。
【図７】（Ａ）は、図６（Ａ）に示される第１レンズを湾曲させた状態で示す平面図であり、（Ｂ）は、図６（Ｂ）に示される第２レンズを湾曲させた状態で示す平面図である。
【図８】（Ａ）は、図２に示されるダイヤル本体の上端部の周辺を拡大して示す拡大断面図であり、（Ｂ）は、（Ａ）のダイヤル本体を初期位置から押圧操作位置に押圧した状態を示す拡大断面図である。
【図９】（Ａ）は、比較例の操作装置におけるダイヤル本体の上端部の周辺を拡大して示す拡大断面図であり、（Ｂ）は、（Ａ）のダイヤル本体を初期位置から押圧操作位置に押圧した状態を示す拡大断面図である。
【発明を実施するための形態】
【００１５】
以下、図面を用いて、本実施の形態に係る操作装置１０について説明する。この操作装置１０は、例えば、図示しない各種工作機械に組付けられて、当該工作機械の操作部として構成されている。
【００１６】
図１〜図４に示されるように、操作装置１０は、全体として、略段付き円柱状に形成されている。そして、以下の説明では、操作装置１０の軸方向一方側（図２〜図４の矢印Ａ方向側）を操作装置１０の上側とし、操作装置１０の軸方向他方側（図２〜図４の矢印Ｂ方向側）を操作装置１０の下側としている。そして、以下の説明において、上下の方向を用いて説明するときには、特に断りのない限り、操作装置１０の上下方向を示すものとする。
【００１７】
操作装置１０は、操作装置１０の下部を構成するパネル部材１２と、パネル部材１２の内部に収容されたケースユニット２０及び回路基板６０と、操作装置１０の上端側の部分を構成するダイヤルユニット４０と、を含んで構成されている。また、ダイヤルユニット４０の上部が、パネル部材１２よりも上側へ突出されて、工作機械の外側へ操作可能に露出されている。そして、操作装置１０では、ダイヤルユニット４０を操作装置１０の軸線ＡＬ回りに回転させる回転操作と、ダイヤルユニット４０を下側へ押圧させる押圧操作と、の２つの操作が可能に構成されている。以下、操作装置１０の各構成について説明する。
【００１８】
（パネル部材１２について）
パネル部材１２は、下側へ開放された略有底円筒状に形成されている。パネル部材１２の外周部には、複数（本実施の形態では、３箇所）のリテーナ１４が固定されており、リテーナ１４は、パネル部材１２の周方向に等間隔毎の配置されている。そして、パネル部材１２が、リテーナ１４によって工作機械に組付けられて、操作装置１０が工作機械に固定されている。
【００１９】
パネル部材１２の上壁には、中心部において、上側へ開放された支持凹部１２Ａが形成されており、支持凹部１２Ａは、略有底円筒状に形成され、パネル部材１２の上壁から下側へ突出されている。また、支持凹部１２Ａの底壁には、支持孔部１２Ｂが貫通形成されている。さらに、パネル部材１２の上壁には、支持凹部１２Ａの径方向外側において、照明用孔部１２Ｃが貫通形成されており、照明用孔部１２Ｃは、パネル部材１２の周方向を長手方向とする長孔状形成されている。詳しくは、照明用孔部１２Ｃは、上側から見た平面視で、パネル部材１２の径方向外側へ開放されたＣ字形状（円弧状）に湾曲している。また、パネル部材１２の上壁には、複数（本実施の形態では、３箇所）のパネル側固定ボス１２Ｄ（図３参照）が形成されている（図３では、１箇所のパネル側固定ボス１２Ｄのみ図示している）。パネル側固定ボス１２Ｄは、上下方向を軸方向とした略円筒状に形成されて、パネル部材１２の上壁から下側へ突出されると共に、パネル部材１２の周方向に等間隔毎の配置されている。
【００２０】
パネル部材１２の開口部には、カバー１６が設けられており、カバー１６は、上下方向を板厚方向とした略円板状に形成されている。カバー１６には、パネル部材１２のパネル側固定ボス１２Ｄに対応する位置において、３箇所のカバー側固定ボス１６Ａが形成されている。カバー側固定ボス１６Ａは、上下方向を軸方向とした円筒状に形成されて、カバー１６から上側へ延出されており、カバー側固定ボス１６Ａの内部が、上下に貫通している。そして、ネジＳＣが、カバー側固定ボス１６Ａ内に下側から挿入され、パネル側固定ボス１２Ｄに螺合されることで、カバー１６がパネル部材１２の開口部を閉塞した状態でパネル部材１２に固定されている。なお、カバー１６の固定状態では、カバー１６のカバー側固定ボス１６Ａ及びパネル部材１２のパネル側固定ボス１２Ｄが、後述するケース２２及び回路基板６０を挟み込んでいる（図３参照）。
【００２１】
パネル部材１２の上面には、外周部において、上側へ突出されたインジケータ収容部１２Ｅが形成されており、インジケータ収容部１２Ｅは、比較的底の浅い、上側へ開放された略円環凹状に形成されている。このインジケータ収容部１２Ｅの内部には、インジケータ部材１８が配置されている。インジケータ部材１８は、無色透明のガラス材によって構成されると共に、上下方向を板厚方向とする円環板状に形成されている。そして、インジケータ部材１８の下面がインジケータ収容部１２Ｅの底面に両面テープによって貼着されている。なお、インジケータ部材１８を、無色透明の樹脂材（一例としてポリカーボネート等）によって構成してもよい。
【００２２】
インジケータ部材１８は、照明部１８Ａを有しており、照明部１８Ａは、後述する第１レンズ３４及び第２レンズ３６の導光部３８により導かれた光によって照明されるようになっている。すなわち、インジケータ部材１８の表面には、照明部１８Ａを構成する部位以外の部分に、印刷が施されており、照明部１８Ａが形成されている。この照明部１８Ａは、平面視で、パネル部材１２の周方向に沿った曲線状に形成されると共に、円弧状に湾曲している。また、照明部１８Ａが、上下方向においてパネル部材１２の照明用孔部１２Ｃと対向配置されている。
【００２３】
（ケースユニット２０について）
図２〜図４に示されるように、ケースユニット２０は、ケース２２と、ロータ３０と、プッシュサポート３２と、第１レンズ３４と、第２レンズ３６と、を含んで構成されている。
【００２４】
＜ケース２２について＞
図５にも示されるように、ケース２２は、全体として上側へ開放された有底円筒状に形成されて、パネル部材１２の内部に配置されている。ケース２２の底壁の外周側の部分には、パネル部材１２のパネル側固定ボス１２Ｄに対応する位置において、３箇所のケース側固定ボス２２Ａが形成されている。ケース側固定ボス２２Ａは、上下方向を軸方向とする円筒状に形成されて、ケース２２の底壁から上側へ突出しており、ケース側固定ボス２２Ａの内部が、上下方向に貫通している。そして、前述したネジＳＣが、ケース側固定ボス２２Ａ内に挿入されて、ケース２２が、後述する回路基板６０及びパネル部材１２によって上下方向に挟み込まれている（図３参照）。
【００２５】
ケース２２の外周側壁は、２重壁構造を成している。すなわち、ケース２２の外周側壁は、第１外周壁２２Ｂと、第１外周壁２２Ｂの径方向内側に配置された第２外周壁２２Ｃと、によって構成されている。そして、第１外周壁２２Ｂの下端部と第２外周壁２２Ｃの下端部とが、複数の支持壁２２Ｄ（図５参照）によって連結されている。この支持壁２２Ｄは、平面視で、ケース２２の中心から放射状に延在されると共に、ケース２２の周方向に等間隔毎に配置されている。なお、複数の支持壁２２Ｄは、ケース２２の周方向全体に形成されておらず、前述したインジケータ部材１８の照明部１８Ａに対応する位置に形成されている。
【００２６】
そして、ケース２２における、第１外周壁２２Ｂと第２外周壁２２Ｃとの間の空間が、後述する第１レンズ３４及び第２レンズ３６の導光部３８を収容するためのレンズ収容部２２Ｅとして構成されており、レンズ収容部２２Ｅは、平面視で、インジケータ部材１８の照明部１８Ａと重なる位置に配置されている。また、第１外周壁２２Ｂ、第２外周壁２２Ｃ、周方向に隣り合う支持壁２２Ｄによって囲まれた空間が、レンズ挿入孔２２Ｆ（図５参照）として構成されている。
【００２７】
また、ケース２２の底壁には、中央部において、「支持軸部」としての支持筒部２２Ｇが形成されている。支持筒部２２Ｇは、上下方向を軸方向とした略円筒状に形成されて、ケース２２の底壁から上側へ突出している。また、支持筒部２２Ｇの内径が下側へ向かうにつれて小さくなるように設定されており、支持筒部２２Ｇの内部は上下に貫通している。
【００２８】
支持筒部２２Ｇの上端部には、支持筒部２２Ｇの径方向内側へ張り出された一対の張出部２２Ｈが形成されており、一対の張出部２２Ｈは、支持筒部２２Ｇの周方向に１８０度離間して配置されている。一方の張出部２２Ｈには、上側へ開放された凹状の「軸受部」としての第１軸受部２２Ｊ１が形成されており、他方の張出部２２Ｈには、上側へ開放された凹状の「軸受部」としての第２軸受部２２Ｊ２が形成されている。第１軸受部２２Ｊ１及び第２軸受部２２Ｊ２は、平面視で円形状に形成されており、第１軸受部２２Ｊ１の内径が、第２軸受部２２Ｊ２の内径よりも小さく設定されている。
【００２９】
ケース２２の底壁には、支持筒部２２Ｇの径方向外側において、一対の配置孔２２Ｋが貫通形成されており、配置孔２２Ｋは、平面視で略矩形状に形成されて、ケース２２の周方向に１８０度離間して配置されている。さらに、ケース２２の底壁には、複数（本実施の形態では、３箇所）の支持ボス２２Ｌが形成されている。支持ボス２２Ｌは、上下方向を軸方向とした略円柱状に形成されて、ケース２２の底壁から上側へ突出されると共に、ケース２２の周方向に等間隔毎に配置されている。
【００３０】
支持ボス２２Ｌには、圧縮コイルスプリングとして構成されたリターンスプリング２４（図３参照）が装着されており、リターンスプリング２４の下端部が、ケース２２の底壁に係止され、リターンスプリング２４の上端部が、後述するプッシュサポート３２に係止されている。
【００３１】
ケース２２の底壁には、上側へ開放され且つ下側へ突出された収容凹部２２Ｍが形成されている。収容凹部２２Ｍには、圧縮コイルスプリングとして構成された節度スプリング２６（図３参照）が収容されている。また、収容凹部２２Ｍには、球状のボール２８（図３参照）が収容されており、ボール２８は、節度スプリング２６の上側に配置されている。
【００３２】
また、ケース２２の底壁には、複数（本実施の形態では、３箇所）の係合爪２２Ｐが形成されており、係合爪２２Ｐは、ケース２２の底壁から上側へ突出されると共に、ケース２２の周方向に等間隔毎に配置されている。
【００３３】
＜ロータ３０について＞
図２及び図３に示されるように、ロータ３０は、下側へ開放された比較的底の浅い有底円筒状に形成されている。ロータ３０の上壁には、ロータ側挿通孔３０Ａが貫通形成されている。そして、ケース２２における支持筒部２２Ｇの下端部がロータ側挿通孔３０Ａ内を挿通した状態で、ロータ３０がケース２２の内部に回転可能に収容されている。また、ロータ３０の下端側の外周部には、径方向外側へ張出されたフランジ３０Ｂが形成されている。そして、ロータ３０のケース２２への収容状態では、フランジ３０Ｂが、ケース２２の係合爪２２Ｐ（図３では、不図示）と係合して、ロータ３０の上側への移動が制限されている。また、フランジ３０Ｂの下面には、前述したボール２８に対応する位置において、複数の節度山３０Ｃが形成されており、この節度山３０Ｃはロータ３０の周方向に沿って配置されている。そして、前述したボール２８が、隣り合う節度山３０Ｃの間に配置されている。
【００３４】
＜プッシュサポート３２について＞
プッシュサポート３２は、上下方向を板厚方向とした円環板状に形成されて、ロータ３０の内部に配置されている。このプッシュサポート３２には、ケース２２の支持ボス２２Ｌに対応する位置において、孔部３２Ａが貫通形成されている。そして、支持ボス２２Ｌが孔部３２Ａ内に相対移動可能に挿入されており、前述したリターンスプリング２４の上端部がプッシュサポート３２の下面に係止されている。これにより、リターンスプリング２４の付勢力によって、プッシュサポート３２が上側へ付勢されて、ロータ３０の上壁に当接している。
【００３５】
＜第１レンズ３４及び第２レンズ３６について＞
図２〜図４、図６、及び図７に示されるように、第１レンズ３４は、複数（本実施の形態では、１３個）の導光部３８と、複数の導光部３８を連結する第１連結部３４Ａと、を含んで構成されている。また、第１レンズ３４は、無色透明の透光性を有する樹脂材（本実施の形態では、一例としてポリカーボネート）によって構成されている。
【００３６】
導光部３８は、上下方向に延在された略矩形柱状に形成されており、複数の導光部３８が、導光部３８の幅方向に所定の間隔を空けて配置されている。具体的には、隣り合う導光部３８の間隔が、ケース２２におけるレンズ挿入孔２２Ｆの一つ置きの間隔と一致している。また、導光部３８の下端部は、挿入部３８Ａとして構成されており、挿入部３８Ａの幅寸法が、導光部３８の上端側の幅寸法と比べて小さく設定されている。詳しくは、平面視で、挿入部３８Ａの外形が、ケース２２のレンズ挿入孔２２Ｆの形状と一致するように形成されている。また、導光部３８の上端側部分には、厚み方向一方側へ突出された突起３８Ｂが形成されている。なお、第１レンズ３４と、後述する第２レンズ３６と、を区別するために、第１レンズ３４では、第１レンズ３４の長手方向両端部、及び長手方向中央部に配置された、導光部３８において、突起３８Ｂが省略されている。また、第１レンズ３４の長手方向両端部及び長手方向中央部に配置された導光部３８において、突起３８Ｂを省略することで、パネル部材１２のパネル側固定ボス１２Ｄと導光部３８との干渉を抑制するようになっている。
【００３７】
第１連結部３４Ａは、導光部３８の幅方向に延在された略矩形棒状に形成されている。そして、第１連結部３４Ａが、導光部３８の上端側部分の厚み方向他方側部分に一体に形成されている。これにより、導光部３８の幅方向の側面３８Ｃが、下端から上端まで形成された状態で、複数の導光部３８が一体に形成されている。また、第１レンズ３４のケース２２への組付前の状態では、第１レンズ３４は、導光部３８の幅方向に直線状に延在されている（図６（Ａ）参照）。
【００３８】
そして、第１レンズ３４が、ケース２２に組付けられて、ケース２２のレンズ収容部２２Ｅ内に収容されている。具体的には、第１連結部３４Ａが、平面視で円弧状に屈曲され（図７（Ａ）参照）、導光部３８の挿入部３８Ａが、ケース２２のレンズ挿入孔２２Ｆ内に挿入されている。これにより、導光部３８の下端部が、ケース２２の支持壁２２Ｄによって支持されている。また、このときには、第１レンズ３４の導光部３８が、ケース２２の周方向に並ぶ一つ置きのレンズ挿入孔２２Ｆに対応して配置されている。また、第１レンズ３４のケース２２への組付状態では、導光部３８の突起３８Ｂの下面が、ケース２２の第２外周壁２２Ｃの上面に当接しており、導光部３８の第１連結部３４Ａの下面が、ケース２２の第１外周壁２２Ｂの上面に当接している。さらに、第１レンズ３４における導光部３８の上端部が、パネル部材１２の照明用孔部１２Ｃ内に挿入されて、導光部３８が、インジケータ部材１８の照明部１８Ａの下側に近接して配置されている。
【００３９】
第２レンズ３６は、以下に示す点を除いて、第１レンズ３４と同様に形成されている。すなわち、第２レンズ３６では、第１レンズ３４で用いた複数（本実施の形態では、１２個）の導光部３８を有しており、これら導光部３８が、第２連結部３６Ａによって連結されている。
【００４０】
第２連結部３６Ａは、導光部３８の幅方向に延在された略矩形棒状に形成されて、第２連結部３６Ａが、導光部３８の上端側部分の厚み方向他方側部分に一体に形成されている。また、第２レンズ３６では、第２連結部３６Ａが第１レンズ３４の第１連結部３４Ａよりも上側に配置されている。さらに、第２レンズ３６においても、第２レンズ３６のケース２２への組付前の状態では、第２レンズ３６が、導光部３８の幅方向に直線状に延在されている（図６（Ｂ）参照）。また、第１レンズ３４の長手方向の長さが、第２レンズ３６の長手方向の長さよりも長くなっている。
【００４１】
そして、第２レンズ３６が、ケース２２に組付けられて、ケース２２のレンズ収容部２２Ｅ内に収容されている。具体的には、第２連結部３６Ａが、平面視で円弧状に屈曲され（図７（Ｂ）参照）、第２レンズ３６の導光部３８が、第１レンズ３４の隣り合う導光部３８の間に挿入されている。また、第２レンズ３６のケース２２への組付状態では、導光部３８の挿入部３８Ａが、ケース２２のレンズ挿入孔２２Ｆ内に挿入され、導光部３８の突起３８Ｂの下面が、ケース２２の第２外周壁２２Ｃの上面に当接し、導光部３８の第２連結部３６Ａの下面が、第１レンズ３４の第１連結部３４Ａの上面に当接している。さらに、第２レンズ３６における導光部３８の上端部が、パネル部材１２の照明用孔部１２Ｃ内に挿入されて、導光部３８が、インジケータ部材１８の照明部１８Ａの下側に近接して配置されている。
【００４２】
以上説明したように、第１レンズ３４及び第２レンズ３６のケース２２への組付状態では、第１レンズ３４の導光部３８と第２レンズ３６の導光部３８が、ケース２２の周方向に交互に配置されると共に、ケース２２の周方向に隣接して配置されている。換言すると、レンズ収容部２２Ｅに隣接配置された複数の導光部３８が、第１レンズ３４を構成する郡と、第２レンズ３６を構成する郡と、の２つの群に分かれている。そして、第１レンズ３４を構成する複数の導光部３８が第１連結部３４Ａによって連結されており、第２レンズ３６を構成する複数の導光部３８が第２連結部３６Ａによって連結されている。
【００４３】
また、導光部３８のケース２２への組付状態では、隣接する導光部３８の幅方向の側面３８Ｃが、ケース２２の周方向において、互いに対向して配置されるように、導光部３８の形状が設定されている。すなわち、隣接する導光部３８の幅方向の側面３８Ｃ同士が、略平行に配置されて、互いに密着するように導光部３８が配置されている。
【００４４】
（ダイヤルユニット４０について）
図１〜図４に示されるように、ダイヤルユニット４０は、操作装置１０の軸線ＡＬ回りに回転操作可能に、且つ下側へ押圧操作可能に、ケース２２の支持筒部２２Ｇに装着されている。このダイヤルユニット４０は、「操作部」としてのダイヤル本体４２と、「意匠部」としての意匠プレートユニット４３と、「蓋部」としてのダイヤルキャップ４８と、を含んで構成されている。
【００４５】
＜ダイヤル本体４２について＞
ダイヤル本体４２は、全体として上下方向を軸方向とする略円筒状に形成されている。ダイヤル本体４２は、内筒４２Ａと、外筒４２Ｂと、を含んで構成され、外筒４２Ｂが、内筒４２Ａの上部に対して径方向外側に配置されており、外筒４２Ｂの下端部が、径方向内側に屈曲されて、内筒４２Ａの軸方向中間部に接続されている。そして、ケース２２の支持筒部２２Ｇが内筒４２Ａの内部に挿入され、ダイヤル本体４２が、支持筒部２２Ｇに、軸線ＡＬ回りに回転可能に且つ上下方向に移動可能に支持されている。また、この状態では、内筒４２Ａが、パネル部材１２の支持孔部１２Ｂ内を挿通しており、外筒４２Ｂの下端部の一部が、パネル部材１２の支持凹部１２Ａの開口部内に配置されている。
【００４６】
内筒４２Ａの下端側の部分には、複数（本実施の形態では、４箇所）の係合爪４２Ｃが形成されており、係合爪４２Ｃが、パネル部材１２における支持孔部１２Ｂの下側の周縁部に係合している。これにより、ダイヤル本体４２の上側への移動が制限されている。内筒４２Ａの下端部には、下側へ開放された係合溝４２Ｄが形成されている。そして、ロータ３０の係合部（図示省略）が係合溝４２Ｄ内に下側から挿入されて、ロータ３０及び内筒４２Ａがダイヤル本体４２の周方向に係合している。これにより、ロータ３０及び内筒４２Ａが一体回転可能に構成されている。
【００４７】
また、ダイヤル本体４２の下端部は、ロータ３０のロータ側挿通孔３０Ａ内を挿通して、プッシュサポート３２の上側に隣接して配置されている。これにより、ダイヤル本体４２（ダイヤルユニット４０）が、プッシュサポート３２によって下側から支持されており、ダイヤル本体４２（ダイヤルユニット４０）が初期位置（図２、図３、及び図８（Ａ）に示される位置）に配置されている。一方、ダイヤル本体４２（ダイヤルユニット４０）が押圧操作されると、リターンスプリング２４がさらに圧縮変形して、ダイヤル本体４２（ダイヤルユニット４０）が、図８（Ｂ）に示される押圧操作位置に移動するようになっている。さらに、ダイヤル本体４２に対する操作力が解除されたときには、リターンスプリング２４の付勢力によってダイヤル本体４２（ダイヤルユニット４０）が押圧操作位置から初期位置に復帰する構成になっている。
【００４８】
また、内筒４２Ａにおける上端側（先端側）の開口部の内周部には、後述する意匠プレートユニット４３を受けるための「収容部」としての受け部４２Ｅが形成されている。受け部４２Ｅは、断面視で、上側及び内筒４２Ａの径方向内側へ開放された凹状に形成されて、内筒４２Ａの周方向全周に亘って形成されている。
【００４９】
＜意匠プレートユニット４３について＞
図２及び図３に示されるように、意匠プレートユニット４３は、「サポート部材」としてのサポートプレート４４と、「標示部材」としての標示プレート４６と、を含んで構成されている。
【００５０】
サポートプレート４４は、上下方向を板厚方向とし且つ円環板状に形成されたプレート本体４４Ａを有している。そして、プレート本体４４Ａがダイヤル本体４２の受け部４２Ｅの内部に収容されて、プレート本体４４Ａが受け部４２Ｅ上に載置されている。
【００５１】
また、サポートプレート４４は、一対の「係合軸」としての第１軸部４４Ｂ１及び第２軸部４４Ｂ２を有している。第１軸部４４Ｂ１及び第２軸部４４Ｂ２は、上下方向を軸方向とした円柱状に形成され、プレート本体４４Ａから下側へ延出されていると共に、プレート本体４４Ａの周方向に１８０度離間して配置されている。第１軸部４４Ｂ１は、ケース２２の第１軸受部２２Ｊ１と対を成し、第２軸部４４Ｂ２は、ケース２２の第２軸受部２２Ｊ２と対を成しており、第１軸部４４Ｂ１の直径が、第２軸部４４Ｂ２の直径よりも小さく設定されている。そして、第１軸部４４Ｂ１が、第１軸受部２２Ｊ１内に上下方向に相対移動可能に挿入されており、第２軸部４４Ｂ２が、第２軸受部２２Ｊ２内に上下方向に相対移動可能に挿入されている。このため、サポートプレート４４が、ケース２２の周方向において支持筒部２２Ｇと係合して、サポートプレート４４の回転がケース２２（支持筒部２２Ｇ）によって制限されている。すなわち、ダイヤルユニット４０が回転操作されたときには、ダイヤル本体４２が、サポートプレート４４に対して相対回転する構成になっている。
【００５２】
プレート本体４４Ａの上面には、外周部において、上側へ突出されたリブ４４Ｃが形成されており、リブ４４Ｃは、プレート本体４４Ａの周方向に沿って延在されると共に、プレート本体４４Ａの周方向全周に亘って形成されている。また、サポートプレート４４がダイヤル本体４２の受け部４２Ｅに収容された状態において、リブ４４Ｃが、ダイヤル本体４２の上面よりも上側に突出しないように、リブ４４Ｃの突出高さが設定されている。
【００５３】
標示プレート４６は、サポートプレート４４の上面に設けられると共に、リブ４４Ｃの径方向内側に配置されている。この標示プレート４６は、無色透明の透光性を有する樹脂材（本実施の形態では、一例としてポリカーボネート）によって構成されると共に、上下方向を厚み方向とした円形シート状に形成されている。そして、標示プレート４６の外周部の下面が、プレート本体４４Ａの上面に両面テープによって貼着されている。また、標示プレート４６の中央部は、標示エリア４６Ａ（図１のハッチングが施された部分を参照）として構成されており、標示エリア４６Ａには、図示しないシンボルマークが形成されている。具体的には、標示エリア４６Ａのシンボルマーク以外の部分に、印刷等が施されて、標示エリア４６Ａにシンボルマークが形成されている。
【００５４】
＜ダイヤルキャップ４８＞
ダイヤルキャップ４８は、無色透明の樹脂材によって構成されると共に、上下方向を板厚方向とした円板状に形成されている。そして、ダイヤルキャップ４８の外周部の下面が、ダイヤル本体４２の内筒４２Ａ及び外筒４２Ｂの上面に両面テープによって貼着されている。これにより、ダイヤル本体４２の受け部４２Ｅがダイヤルキャップ４８によって閉塞されて、意匠プレートユニット４３の上側への移動がダイヤルキャップ４８によって制限されている。つまり、上下方向において意匠プレートユニット４３がダイヤル本体４２と一体移動可能に構成されており、ダイヤル本体４２が押圧操作されるときには、意匠プレートユニット４３が、ダイヤル本体４２と一体に、ケース２２の支持筒部２２Ｇに対して上下方向に相対移動する構成になっている。なお、ダイヤルキャップ４８は、意匠プレートユニット４３の上側に近接して配置されており、ダイヤルキャップ４８と意匠プレートユニット４３との間には、所定の隙間Ｇ１（図８（Ａ）及び（Ｂ）参照）が形成されている。
【００５５】
ダイヤルキャップ４８の中央部（詳しくは、標示プレート４６の標示エリア４６Ａと上下方向に対向配置される部分）は、レンズ部４８Ａとして構成されており、標示プレート４６のシンボルマークがレンズ部４８Ａを介して視認可能に構成されている。
【００５６】
なお、ダイヤルユニット４０は、ダイヤル本体４２の上部を覆うダイヤルカバー５０（図１〜図３参照）を有しており、ダイヤルカバー５０は、下側へ開放された略有底円筒状に形成されている。ダイヤルカバー５０の上壁には、円形の露出孔５０Ａが貫通形成されている。そして、ダイヤルカバー５０が、ダイヤル本体４２の外筒４２Ｂに組付けられて、ダイヤル本体４２に固定されている。
【００５７】
（回路基板６０について）
図２〜図４に示されるように、回路基板６０は、上下方向を板厚方向とした略円板状に形成されている。回路基板６０は、ケース２２の底壁とカバー１６との間に配置されて、ケース２２の底壁及びカバー１６のカバー側固定ボス１６Ａによって上下挟み込まれた状態に固定されている。すなわち、回路基板６０が、ケース２２の下面に密着した状態で、ケース２２の下側に隣接配置されている。なお、回路基板６０には、ネジＳＣが挿通される挿通孔６０Ａが貫通形成されている。
【００５８】
回路基板６０の上面の外周部には、複数（本実施の形態、２７個）のインジケータ用光源６２が実装されている。すなわち、インジケータ用光源６２が、インジケータ部材１８に対してインジケータ部材１８の裏面側（仮面側）に離間して配置されている。インジケータ用光源６２は、ＬＥＤ（light emitting diode）によって構成されて、発光した光を上側へ照射するように構成されている。複数のインジケータ用光源６２は、ケース２２のレンズ挿入孔２２Ｆ内にそれぞれ配置されている。すなわち、複数のインジケータ用光源６２は、第１レンズ３４及び第２レンズ３６の導光部３８に対応した位置に配置されて、対応する導光部３８の真下にそれぞれ配置されている。よって、複数のインジケータ用光源６２が、平面視で、インジケータ部材１８の照明部１８Ａの長手方向に沿って並んでいる。これにより、インジケータ用光源６２が発光することにより、発光した光が、導光部３８を透過して、インジケータ部材１８の照明部１８Ａを照射する構成になっている。
【００５９】
また、回路基板６０には、制御部７０が電気的に接続されており、制御部７０は、後述するダイヤルユニット４０の回転操作を検知して、各々のインジケータ用光源６２の点灯又は消灯を制御するようになっている。これにより、制御部７０の制御によって、各々のインジケータ用光源６２が点灯又は消灯することで、インジケータ部材１８の照明部１８Ａが、所定の範囲（長さ）で照明されるようになっている。
【００６０】
また、回路基板６０の上面における中央部には、「光源」としての標示用光源６４が実装されている。標示用光源６４は、ＬＥＤ（light emitting diode）によって構成されて、発光した光を上側へ照射するように構成されている。さらに、標示用光源６４は、ケース２２の支持筒部２２Ｇの下端部内に配置されて、標示プレート４６の標示エリア４６Ａを照射するようになっている。これにより、標示エリア４６Ａ内のシンボルマークが照明される構成になっている。
【００６１】
また、回路基板６０の上面には、一対のタクトスイッチ６６が実装されている。タクトスイッチ６６は、ケース２２の配置孔２２Ｋ内に配置されると共に、プッシュサポート３２の下側に隣接して配置されている。そして、ダイヤルユニット４０の押圧操作には、プッシュサポート３２がタクトスイッチ６６を押圧して、タクトスイッチ６６が操作装置１０の押圧操作を検出するようになっている。
【００６２】
（作用及び効果）
次に、操作装置１０の操作を、比較例の操作装置１００と比較しつつ、本実施の形態の作用及び効果について説明する。
【００６３】
初めに、比較例の操作装置１００について、図９を用いて説明する。なお、図９では、操作装置１００において、本実施の形態の操作装置１０と同様に構成された部分には、同一の符号を付している。
すなわち、比較例の操作装置１００では、本実施の形態の意匠プレートユニット４３において、サポートプレート４４が省略されており、標示プレート４６が、ケース２２の支持筒部２２Ｇの上端面に貼着されている。換言すると、標示プレート４６が、ダイヤル本体４２に設けられておらず、ケース２２に設けられている。また、標示プレート４６がダイヤルキャップ４８の下側に所定の隙間Ｇ２を空けて配置されている。そして、ダイヤルユニット４０（ダイヤル本体４２）を回転操作したときには、ダイヤル本体４２が支持筒部２２Ｇ及び標示プレート４６に対して相対回転される。これにより、ダイヤル本体４２の回転操作時には、標示プレート４６がダイヤル本体４２と一体に回転しないため、標示プレート４６のシンボルマークを容易に確認することができる。したがって、回転操作時における操作装置１００の意匠性を確保することができる。
【００６４】
一方、図９（Ｂ）に示されるように、比較例の操作装置１００において、ダイヤルユニット４０（ダイヤル本体４２）を押圧操作したときには、ダイヤル本体４２及びダイヤルキャップ４８が、標示プレート４６に対して下側へ相対移動（接近）して、押圧操作位置に配置される。すなわち、比較例の操作装置１００では、押圧操作位置での隙間Ｇ２が初期位置での隙間Ｇ２と比べて狭くなる。このため、図９（Ａ）に示されるように、比較例の操作装置１００では、初期位置における隙間Ｇ２を、ダイヤル本体４２の操作ストロークよりも大きくする必要がある。これにより、初期位置における隙間Ｇ２が比較的広くなる。その結果、比較例の操作装置１００では、操作装置１００の軸線ＡＬに対して傾斜する方向から標示プレート４６を見たときに、ダイヤルキャップ４８の外周部によって標示プレート４６の標示エリア４６Ａが遮られて、標示プレート４６に対する視認性が低下する可能性がある。また、初期位置での隙間Ｇ２と押圧操作位置での隙間Ｇ２とが異なる隙間になる。この点においても、標示プレート４６に対する視認性が低下する可能性がある。
【００６５】
これに対して、本実施の形態の操作装置１０では、意匠プレートユニット４３が、ダイヤル本体４２に設けられると共に、ダイヤル本体４２に対して相対回転可能に且つ上下方向に一体移動可能に構成されている。また、意匠プレートユニット４３は、ケース２２の支持筒部２２Ｇに対して、支持筒部２２Ｇの周方向（ダイヤル本体４２の回転方向）に相対移動不能に且つ上下方向に相対移動可能に係合されている。
【００６６】
このため、本実施の形態の操作装置１０において、ダイヤル本体４２を回転操作したときには、意匠プレートユニット４３がケース２２の支持筒部２２Ｇに係合して、ダイヤル本体４２が意匠プレートユニット４３に対して相対回転する。これにより、ダイヤル本体４２の回転操作時には、意匠プレートユニット４３の標示プレート４６がダイヤル本体４２と一体に回転しないため、標示プレート４６のシンボルマークを容易に確認することができる。したがって、比較例の操作装置１００と同様に、回転操作時における操作装置１０の意匠性を確保することができる。
【００６７】
一方、図８（Ｂ）に示されるように、本実施の形態の操作装置１０において、ダイヤルユニット４０（ダイヤル本体４２）を押圧操作したときには、意匠プレートユニット４３が、ダイヤル本体４２及びダイヤルキャップ４８と共に、ケース２２の支持筒部２２Ｇに対して下側へ相対変位する。このため、標示プレート４６とダイヤルキャップ４８との間の隙間Ｇ１を、ダイヤル本体４２の操作ストロークに関係なく、一定の隙間に設定することができる（図８（Ａ）及び（Ｂ）参照）。これにより、初期位置における隙間Ｇ１を、比較例の隙間Ｇ２よりも小さく設定することができる。換言すると、標示プレート４６をダイヤルキャップ４８の下側に近接して配置することができる。その結果、本実施の形態の操作装置１０では、操作装置１０の軸線ＡＬに対して傾斜する方向から標示プレート４６を見たときに、ダイヤルキャップ４８の外周部によって標示プレート４６の標示エリア４６Ａが遮られることを抑制できる。また、初期位置での隙間Ｇ１と押圧操作位置での隙間Ｇ１とを同じ隙間に設定することができる。以上により、標示プレート４６（意匠プレートユニット４３）に対する視認性を向上することができる。
【００６８】
また、意匠プレートユニット４３のサポートプレート４４は、一対の第１軸部４４Ｂ１及び第２軸部４４Ｂ２を有しており、第１軸部４４Ｂ１及び第２軸部４４Ｂ２は、上下方向を軸方向としてサポートプレート４４から下側へ延出されている。また、ケース２２の支持筒部２２Ｇには、一対の第１軸受部２２Ｊ１及び第２軸受部２２Ｊ２が形成されている。そして、第１軸部４４Ｂ１が、第１軸受部２２Ｊ１に相対移動可能に挿入されており、第２軸部４４Ｂ２が第２軸受部２２Ｊ２に相対移動可能に挿入されている。これにより、支持筒部２２Ｇの周方向において意匠プレートユニット４３を支持筒部２２Ｇに係合させつつ、上下方向において意匠プレートユニット４３を支持筒部２２Ｇに対して相対移動させることができる。したがって、簡易な構成で、意匠プレートユニット４３を、ケース２２の支持筒部２２Ｇに対して、支持筒部２２Ｇの周方向（ダイヤル本体４２の回転方向）に相対移動不能に且つ上下方向に相対移動可能にすることができる。
【００６９】
また、サポートプレート４４の第１軸部４４Ｂ１の直径と第２軸部４４Ｂ２の直径とが異なる寸法に設定されている。具体的には、第１軸部４４Ｂ１の直径が、第２軸部４４Ｂ２の直径よりも小さく設定されている。これにより、意匠プレートユニット４３が設けられたダイヤル本体４２をケース２２に組付けるときに、標示プレート４６をケース２２に対して正規の向きに組付けることができる。したがって、ダイヤル本体４２のケース２２への組付作業性を向上することができる。
【００７０】
また、ダイヤル本体４２の内筒４２Ａには、上側へ開放された凹状の受け部４２Ｅが形成されており、受け部４２Ｅの内部に意匠プレートユニット４３が収容されている。また、ダイヤル本体４２には、ダイヤルキャップ４８が設けられており、ダイヤルキャップ４８は、受け部４２Ｅを閉塞している。これにより、簡易な構成で、意匠プレートユニット４３を、ダイヤル本体４２に対して、相対回転可能に且つ上下方向に相対移動不能にすることができる。
【００７１】
また、意匠プレートユニット４３は、ケース２２の支持筒部２２Ｇに係合されたサポートプレート４４と、サポートプレート４４に支持された標示プレート４６と、を含んで構成されている。このため、意匠プレートユニット４３において標示プレート４６を適宜変更することで、シンボルマークの異なる操作装置に容易に対応することができる。
【００７２】
また、ケース２２の下側には、回路基板６０が設けられている。回路基板６０の上面には、標示用光源６４が実装されており、標示用光源６４は、ケース２２の支持筒部２２Ｇの下端部内に配置されている。そして、制御部７０の制御により標示用光源６４が発光すると、標示用光源６４によって、標示プレート４６の標示エリア４６Ａを照射される。これにより、夜間における、標示プレート４６の視認性を向上することができる。
【００７３】
なお、本実施の形態では、一対の第１軸部４４Ｂ１及び第２軸部４４Ｂ２が、意匠プレートユニット４３のサポートプレート４４に形成され、一対の第１軸受部２２Ｊ１及び第２軸受部２２Ｊ２が、ケース２２の支持筒部２２Ｇに形成されて、意匠プレートユニット４３が、ケース２２の支持筒部２２Ｇに対して、支持筒部２２Ｇの周方向（ダイヤル本体４２の回転方向）に相対移動不能に且つ上下方向に相対移動可能に係合されている。これに代えて、一対の第１軸部及び第２軸部を支持筒部２２Ｇに形成し、一対の第１軸受部及び第２軸受部をサポートプレート４４に形成して、意匠プレートユニット４３を支持筒部２２Ｇに係合させてもよい。
【符号の説明】
【００７４】
１０          操作装置
２２          ケース
２２Ｇ        支持筒部（支持軸部）
２２Ｊ１      第１軸受部（軸受部）
２２Ｊ２      第２軸受部（軸受部）
４２          ダイヤル本体（操作部）
４３          意匠プレートユニット（意匠部）
４４          サポートプレート（サポート部材）
４４Ｂ１      第１軸部（係合軸）
４４Ｂ２      第２軸部（係合軸）
４６          標示プレート（標示部材）
４６Ａ        標示エリア
４８          ダイヤルキャップ（蓋部）
６４          標示用光源（光源）
【図１】
2020095844.tif 000003
【図２】
2020095844.tif 000004
【図３】
2020095844.tif 000005
【図４】
2020095844.tif 000006
【図５】
2020095844.tif 000007
【図６】
2020095844.tif 000008
【図７】
2020095844.tif 000009
【図８】
2020095844.tif 000010
【図９】
2020095844.tif 000011